(57)【特許請求の範囲】
【請求項１】
複数チャンネルのオーディオ信号に対して信号処理を施し複数のスピーカにそれぞれ供給して、聴取地点での音場を制御する音場制御装置であって、
端末装置が有する通信機能および測位機能のうち、前記測位機能を用いて測定されるとともに、前記端末装置から前記通信機能で送信された、前記複数のスピーカの位置情報および前記聴取地点に応じた位置情報を、それぞれ受信する通信部と、
前記通信部により受信された位置情報をそれぞれ記憶する位置情報記憶部と、
前記位置情報記憶部に記憶された各位置情報に基づいて前記信号処理の内容を設定する音場設定部と、
を具備することを特徴とする音場制御装置。
【請求項２】
前記位置情報記憶部は、
前記聴取地点を含む空間の形状を特定する位置情報を記憶し、
前記音場設定部は、前記空間の形状を特定する位置情報から、前記空間の形状を推定して、当該推定した空間に応じて前記信号処理の内容を設定する
ことを特徴とする請求項１に記載の音場制御装置。
【請求項３】
複数オーディオ信号に対し信号処理を施し、筐体内に配列した複数のスピーカに供給し、直接音および反射音によって当該聴取地点の音場を制御する音場制御装置であって、
端末装置が有する通信機能および測位機能のうち、前記測位機能を用いて測定されるとともに、前記端末装置から前記通信機能で送信された、前記筐体の位置情報と、前記聴取地点に応じた位置情報と、前記聴取地点を含む空間の形状を特定する位置情報と、をそれぞれ受信する通信部と、
前記通信部により受信された位置情報をそれぞれ記憶する位置情報記憶部と、
前記位置情報記憶部に記憶された各位置情報に基づいて前記信号処理の内容を設定する音場設定部と、
を具備することを特徴とする音場制御装置。
【請求項４】
複数チャンネルのオーディオ信号に対して信号処理を施し複数のスピーカにそれぞれ供給して、聴取地点での音場を制御する音場制御方法であって、
端末装置が有する通信機能および測位機能のうち、前記測位機能を用いて測定されるとともに、前記端末装置から前記通信機能で送信された、前記複数のスピーカの位置情報および前記聴取地点に応じた位置情報を、それぞれ受信し、
前記受信された位置情報をそれぞれ記憶し、
記憶された各位置情報に基づいて前記信号処理の内容を設定する
ことを特徴とする音場制御方法。
【請求項５】
複数オーディオ信号に対し信号処理を施し、筐体内に配列した複数のスピーカに供給し、直接音および反射音によって当該聴取地点の音場を制御する音場制御方法であって、
端末装置が有する通信機能および測位機能のうち、前記測位機能を用いて測定されるとともに、前記端末装置から前記通信機能で送信された、前記筐体の位置情報と、前記聴取地点に応じた位置情報と、前記聴取地点を含む空間の形状を特定する位置情報と、をそれぞれ受信し、
前記受信された位置情報をそれぞれ記憶し、
記憶された各位置情報に基づいて前記信号処理の内容を設定する
ことを特徴とする音場制御方法。
【発明の詳細な説明】
【技術分野】
【０００１】
本発明は、端末装置で測定したスピーカやリスナーの位置情報を用いて、音場を制御する技術に関する。
【背景技術】
【０００２】
複数個のスピーカを備えたオーディオシステムにおいて、各スピーカから聴取地点までの距離が互いに異なると、当該聴取地点において各スピーカから発生した音を聴いたときに音量や位相などが異なってしまう。
そこで、スピーカから発生させたテスト音等を聴取地点で検出して音圧差や位相差などを求め、各スピーカに供給する信号の音量や位相を制御する技術が提案されている（例えば特許文献１、２参照）。位置測定については、無線システムを用いる技術（例えば特許文献３参照）もあれば、スピーカから発せられた電波をリスナーで反射させるとともに当該反射波をスピーカに設けられた受信器によって受信する技術（例えば特許文献４参照）もある。また、聴取地点に設けられたカメラのフォーカス機能を用いてスピーカまでの距離を測定する技術（例えば特許文献５参照）も提案されている。
【先行技術文献】
【特許文献】
【０００３】
【特許文献１】特開平１１−３３１９９９号公報
【特許文献２】特開２００３−０３２７９９号公報
【特許文献３】特開２００６−２２９７３８号公報
【特許文献４】特開２００６−３１３９８０号公報
【特許文献５】特開２００７−０４３３２０号公報
【発明の概要】
【発明が解決しようとする課題】
【０００４】
しかしながら、上記技術では、いずれも各スピーカから聴取地点までの距離を測定することはできるが、精度的に劣る、または、位置測定のために無線やカメラなどの付加的な構成を必要とする。
本発明は、上述した事情に鑑みてなされたもので、その目的の一つは、高い精度の音場を簡易な構成で制御することが可能な音場制御装置および音場制御方法を提供することにある。
【課題を解決するための手段】
【０００５】
上記目的を達成するために本発明に係る音場制御装置は、複数チャンネルのオーディオ信号に対して信号処理を施し複数のスピーカにそれぞれ供給して、聴取地点での音場を制御する音場制御装置であって、端末装置によって測定された、前記複数のスピーカの位置情報および前記聴取地点に応じた位置情報を、それぞれ記憶する位置情報記憶部と、前記位置情報記憶部に記憶された各位置情報に基づいて前記信号処理の内容を設定する音場設定部と、を具備することを特徴とする。本発明によれば、スピーカの位置および聴取地点が端末装置の位置測定機能（測位機能）によって測定される。このため、スピーカから聴取地点までの距離のみならず、スピーカと聴取地点との位置関係も特定できるので、形成する音場の精度を高めることが可能になる。また、これらの位置情報を取得するにあたって、オーディオ信号とは無関係のテスト音を発生させる必要もないし、リスナーが端末装置を携帯すれば、リスナーの移動に伴って音場をほぼリアルタイムに制御することも可能になる。また、この発明は、音場制御装置のみならず、音場制御方法として概念することも可能である。
【０００６】
本発明において、前記位置情報記憶部は、前記聴取地点を含む空間の形状を特定する位置情報を記憶し、前記音場設定部は、前記空間の形状を特定する位置情報から、前記空間の形状を推定して、当該推定した空間に応じて前記信号処理の内容を設定する構成としても良い。この構成によれば、聴取地点を含む室内の形状を反映させて音場を形成することができる。
【０００７】
また、上記目的は、複数オーディオ信号に対し信号処理を施し、筐体内に配列した複数のスピーカに供給し、直接音および反射音によって当該聴取地点の音場を制御する音場制御装置であって、端末装置によって測定された、前記筐体の位置情報と、前記聴取地点に応じた位置情報と、前記聴取地点を含む空間の形状を特定する位置情報と、をそれぞれ記憶する位置情報記憶部と、前記位置情報記憶部に記憶された各位置情報に基づいて前記信号処理の内容を設定する音場設定部と、を具備する音場制御装置に係る発明によっても達成することができる。この発明についても、音場制御方法として概念することが可能である。
【図面の簡単な説明】
【０００８】
【図１】第１実施形態に係る音場制御装置を含むシステムの構成を示す図である。
【図２】スピーカやリスナーなどの位置関係を示す図である。
【図３】同音場制御装置の動作を示すフロチャートである。
【図４】同音場制御装置における位置情報の取得を示す図である。
【図５】同音場制御装置における部屋形状の取得例を示す図である。
【図６】同音場制御装置における音場設定を示す図である。
【図７】第２実施形態に係る音場制御装置の構成を示す図である。
【図８】同音場制御装置を含むシステムの構成を示す図である。
【図９】スピーカやリスナー等の位置関係を示す図である。
【図１０】同音場制御装置における位置情報の取得を示す図である。
【図１１】音場制御装置における位置関係を示す図である。
【図１２】音場制御装置における位置関係を示す図である。
【図１３】音場制御装置における位置関係を示す図である。
【発明を実施するための形態】
【０００９】
以下、本発明の実施形態について図面を参照して説明する。
【００１０】
図１は、第１実施形態に係る音場制御装置４０ａを含むオーディオシステムの概略構成を示すブロック図である。
この図に示されるように、オーディオシステムは、測位機能を有する端末装置１０と、再生信号を生成する再生部２０と、モニタ３０と、再生信号に音場を付与する音場制御装置４０ａと、音場が付与された各チャンネルのオーディオ信号を音響変換して出力するスピーカ５１〜５５とを含んでいる。
【００１１】
端末装置１０は、例えば携帯電話機であり、詳細な構成については割愛するが、ＣＰＵや、メモリ、表示装置、タッチパネルなどを含み、利用者が表示画面にタッチ操作等することで、必要な情報の入力や各種の指示がなされる構成となっている。また、端末装置１０は、音場制御装置４０ａから例えば十数メートルの範囲内で短距離無線通信を行う通信機能のほか、ＧＰＳ（Global Positioning System）によって端末装置１０の位置を測定する測位機能を有する。そして、端末装置１０は、予めインストールされた所定のプログラムを実行することによって、音場制御装置４０ａから受信した情報に基づいた画面を表示させて、測位すべき地点を表示したり、測位した位置情報を音場制御装置４０ａに送信したりする。
【００１２】
なお、端末装置１０で測位される位置情報は経度および緯度であるが、後述するように高度を加えても良い。また、測位機能としてはＧＰＳのほか、ＧＰＳの測定誤差を位置情報が既知の基準点で補正するＤ−ＧＰＳ（Differential GPS）を用いても良い。また、複数の基準点から受信した電波の位相差を測定する方式や、複数の基準点による電波強度や電波到達時間などを比較する方式などを用いても良いし、これらを適宜組み合わせた方式を用いても良い。くわえて、加速度センサーやジャイロセンサーなどを用いて既知点からの移動方向・移動距離によって位置を特定する方式でも良い。
また、端末装置１０は、携帯電話機に限られず、上記通信機能や測位機能を有するのであれば、タブレット型のコンピュータやＰＤＡ（Personal Digital Assistant）、ポータブルナビゲーション装置などでも良い。
【００１３】
再生部２０は、ＣＤ（compact disk）や、ＤＶＤ（digital versatile disk）、ＢＤ（blu-ray disk）などの各種媒体を再生することによって、または、放送電波を受信することによって、再生信号を生成する。なお、再生信号には音声信号のほか、再生媒体によっては映像信号が含まれる場合がある。
モニタ３０は、液晶表示装置やプラズマディスプレイなどであり、再生信号に含まれる映像信号に基づいた映像を表示する。
【００１４】
音場制御装置４０ａは、再生信号に含まれる音声信号を、複数のチャンネルのオーディオ信号にデコードし、音場を付与して出力するものであり、通信部４１、位置情報記憶部４２、音場設定部４３、音場付与部４４および増幅部４５を含んでいる。
このうち、通信部４１は、端末装置１０と短距離無線通信を行うものである。位置情報記憶部４２は、端末装置１０から通信部４１を介して、位置情報を取得して記憶する。
【００１５】
音場設定部４３は、端末装置１０との送受信を制御したり、付与すべき音場に対応した信号処理の内容を決定して、音場付与部４４に設定したりする。音場付与部４４は、音場設定部４３で設定された内容の信号処理を、オーディオ信号の各チャンネルにそれぞれ施す。音場設定部４３および音場付与部４４は、例えばＤＳＰ（Digital Signal Processor）機能を持ったマイコンによって実現される。
増幅部４５は、チャンネル毎のアンプの集合体であり、信号処理が施されたオーディオ信号をチャンネル毎に増幅して、スピーカ５１〜５５にそれぞれ出力する。
なお、図においては、通信部４１と音場付与部４４を直結した相互の矢印も設けてあるが、これは端末装置１０側で位置情報による音場設定を行い、通信部４１を介して音場付与部４４に音場パラメーターの指示を行うケースを想定しているためである。
【００１６】
図２は、スピーカ５１〜５５およびリスナーＬの位置関係について、当該スピーカが設置されるリスニングルーム６０を平面視した状態で示した図である。
この図に示されるようにスピーカ５１〜５５の各々は、順番にフロントレフト（ＦＬ）、センター（Ｃ）、フロントライト（ＦＲ）、サラウンドレフト（ＳＬ）、サラウンドライト（ＳＲ）のチャンネルにそれぞれに対応している。詳細には、モニタ３０の表示面のほぼ中心にＣチャンネルのスピーカ５２が設置され、リスナーＬからみて、モニタ３０の左側にＦＬチャンネルのスピーカ５１が、同右側にＦＲチャンネルのスピーカ５３がそれぞれ設置され、リスナーＬからみて、後方左側にＳＬチャンネルのスピーカ５４が、後方右側にＳＲチャンネルのスピーカ５５が、それぞれ設置される。
なお、サブウーファは省略されているが、他のスピーカと同様に時間軸および音量の調整対象としても良い。
【００１７】
次に、音場制御装置４０ａにおける音場制御処理の動作について説明する。図３は、音場制御処理の動作を示すフロチャートである。
この音場制御処理は、例えば音場制御装置４０ａにおいて電源が投入された状態で、端末装置１０において所定のプログラムが起動し、音場制御装置４０ａと近距離無線通信が確立したときに、当該音場制御装置４０ａで実行される。
まず、音場制御装置４０ａにおいて音場設定部４３は、スピーカ５１〜５５の位置情報が位置情報記憶部４２に記憶されているか否かを判別する（ステップＳａ１１）。
【００１８】
スピーカの位置情報が記憶されていない場合（ステップＳａ１１の判別結果が「Ｎｏ」の場合）、音場設定部４３は、通信部４１を介して端末装置１０にスピーカ５１〜５５の位置情報を要求し、その応答としての位置情報を当該端末装置１０から取得し、位置情報記憶部４２に記憶させる（ステップＳａ１２）。具体的には、例えば次のようにしてスピーカ５１〜５５の位置情報が音場制御装置４０ａで取得・記憶される。
【００１９】
端末装置１０では、音場制御装置４０ａからスピーカ５１〜５５の位置情報の要求があると、ユーザー（リスナーＬ）に対して、当該端末装置１０をスピーカ５１〜５５が設置された地点に移動させて所定の操作をすべき旨を表示部に表示させる。この表示にしたがって、ユーザーが、実際に端末装置１０をスピーカ５１〜５５のいずれかが設置された地点に移動させて所定の操作をすると、例えば測位開始を指示するソフトウェアキーのボタンをタッチ操作すると、端末装置１０は当該地点を測位して、その位置情報を得たときに、その旨を表示部に表示する。この動作を、スピーカ５１〜５５の各々について実行して、各地点の位置情報を得る。
このとき、端末装置１０を移動させる順番を指定しても良い。例えば図４において、ユーザーに対して、端末装置１０を移動させるべき地点の順番がａ→ｂ→ｃ→ｄ→ｅであることを表示で促して、ユーザーが当該表示にしたがって端末装置１０を順番に移動させても良い。
なお、ユーザーが端末装置１０をランダムまたは任意の順番で移動させても、スピーカ５１〜５５の配置は規則性があるので、取得した位置情報の配列（前後左右）から、１〜５番目に測位したスピーカの位置情報がスピーカ５１〜５５のうち、どのスピーカに対応しているかを判別するようにしても良い。
このようにして得たスピーカ５１〜５５の位置情報を、端末装置１０は、音場制御装置４０ａに送信する一方、音場設定部４３は、通信部４１を介してスピーカ５１〜５５の位置情報を取得し、位置情報記憶部４２に記憶させる。
なお、スピーカを移動させるなどした場合にも、ステップＳａ１２を実行することによって、スピーカが設置された地点が測位される。
【００２０】
一方、スピーカの位置情報がすでに記憶されている場合（ステップＳａ１１の判別結果が「Ｙｅｓ」の場合）、ステップＳａ１２がスキップされる。
次に、音場設定部４３は、リスニングルーム６０の形状を規定する地点の位置情報が位置情報記憶部４２に記憶されているか否かを判別する（ステップＳａ１３）。
【００２１】
リスニングルーム６０の形状を特定する地点の位置情報が記憶されていない場合（ステップＳａ１３の判別結果が「Ｎｏ」の場合）、音場設定部４３は、通信部４１を介して端末装置１０に、リスニングルーム６０の形状を特定する地点の位置情報を要求し、その応答としての位置情報を当該端末装置１０から取得し、位置情報記憶部４２に記憶させる（ステップＳａ１４）。具体的には、例えば次のようにしてリスニングルーム６０の形状を特定する地点の位置情報が音場制御装置４０ａで取得・記憶される。
【００２２】
端末装置１０では、音場制御装置４０ａから形状を特定する地点の位置情報の要求があると、ユーザーに対して、リスニングルーム６０の隅または頂点の地点に当該端末装置１０を移動させて、所定の操作をすべき旨を表示部に表示させる。この表示にしたがって、ユーザーが、実際に端末装置１０を当該地点に移動させて、所定の操作をすると、端末装置１０は当該地点を測位して、その位置情報を得たときに、その旨を表示部に表示する。この動作を、リスニングルーム６０の形状が平面視で例えば長方形であれば、リスニングルーム６０の四隅の各々について実行して、それぞれ地点を測位する。測位し終えると、端末装置１０は、リスニングルーム６０の形状を特定する地点の位置情報を音場制御装置４０ａに送信する一方、音場設定部４３は、通信部４１を介して受信した位置情報を位置情報記憶部４２に記憶させる。
【００２３】
このとき、端末装置１０を移動させる順番を指定しても良い。例えば図４において、ユーザーに対して、端末装置１０を移動させるべき地点の順番がｆ→ｇ→ｈ→ｉであることを表示で促して、ユーザーが当該表示にしたがって端末装置１０を順番に移動させても良い。
また、ここではリスニングルーム６０の形状を図５の（ａ）で示されるような長方形として説明したが、同図の（ｂ）や（ｃ）で示されるような形状であっても、隅または頂点に相当する「★」の地点を測位すれば良い。
なお、オーディオシステムの設置部屋を変更したり、引っ越したりして、リスニングルームが変更された場合も、ステップＳａ１４を実行することによって、リスニングルーム６０の形状を特定する地点を測位する。
このように、リスニングルーム６０の形状については、測位された地点の頂点としたときに、最短の頂点同士を結んだ形状として推定できる。すなわち、多角形形状の部屋であれば、多角形の各頂点位置を到達順に測位して、全頂点で測位が完了したことを入力すれば、各頂点を測定順に直線で連結した多角形を部屋形状と推定することができる。
一方、リスニングルーム６０の形状を特定する地点の位置情報がすでに記憶されている場合（ステップＳａ１３の判別結果が「Ｙｅｓ」の場合）、ステップＳａ１４がスキップされる。
【００２４】
次に、音場設定部４３は、通信部４１を介して端末装置１０に、現時点において当該端末装置１０を携行するリスナーＬの聴取地点の位置情報を要求し、その応答としての位置情報を当該端末装置１０から取得し、位置情報記憶部４２に記憶させる（ステップＳａ１５）。具体的には、例えば次のようにして現時点における端末装置１０の位置情報が音場制御装置４０ａで取得・記憶される。
【００２５】
端末装置１０では、音場制御装置４０ａから現時点における位置情報の要求があると、ユーザーに対し、聴取地点に当該端末装置１０を移動すべき旨を表示部に表示させる。この表示にしたがって、ユーザーが、聴取地点、厳密にいえば、図４においてリスニング時において頭部中央に相当する地点ｊに端末装置１０を移動させると、端末装置１０は当該地点を測位する。測位し終えると、端末装置１０は、聴取地点の位置情報を音場制御装置４０ａに送信し、音場設定部４３は、通信部４１を介して受信した当該位置情報を位置情報記憶部４２に記憶させる。
【００２６】
続いて、音場設定部４３は、位置情報で形状を推定したリスニングルーム６０において、位置情報で規定される地点にスピーカ５１〜５５が配置された場合に、位置情報で規定された聴取地点でリスナーＬが聴取するときの音場の処理内容（各種パラメータや調整量）などを決定して、音場付与部４４に設定する（ステップＳａ１６）。
例えば位相差については、音場設定部４３は、第１に、位置情報記憶部４２に記憶された位置情報を読み出して、スピーカ５１〜５５の各設置地点と聴取地点との距離をそれぞれ算出し、第２に、これらの距離に対応して、スピーカ５１〜５５に対応するオーディオ信号の時間軸の調整量をそれぞれ決定する。また、このほかにも音場設定部４３は、各スピーカと聴取地点との距離に応じた減衰量が相殺されるように、各スピーカによる再生音量の調整量を決定する。さらに、ステップＳａ１４で推定された部屋形状から壁面と各スピーカ・聴取者との位置関係や部屋の容積などを算出し、リスニングルームの壁面の反射や遮蔽による周波数特性や、残響特性、位相特性を推定し、これに応じた音場処理を決定することも可能である。具体的な音場処理としては、壁の間隔によって推測される定在波周波数帯域の補正、スピーカと壁との距離関係によって生じる周波数ディップの補正、部屋形状・寸法から算出される部屋容積から残響時間を推測し、残響パラメータ(残響量、残響時間など)を補正するなどの処理が考えられる。
そして、音場設定部４３は、決定した処理内容を音場付与部４４に設定する。
これにより、再生部２０による再生信号は、スピーカ５１〜５５の配置、リスニングルーム６０の形状、および、リスナーＬの聴取地点に対して適切な音場が付与されて出力される。
【００２７】
音場設定部４３は、音場を設定してから所定期間（例えば３０秒）経過した否かを判別する（ステップＳａ１７）。所定期間が経過していなければ、処理手順が再びステップＳａ１７に戻される。一方、音場を設定してから所定期間経過すると、音場設定部４３は、前回から今回に至るまでに電源オフまたは音場設定処理終了の指示がなされたか否かを判別する（ステップＳａ１８）。指示がなされていれば、この音場制御処理は終了する一方、指示がなされていなければ、処理手順がステップＳａ１５に戻る。
このため、電源オフ等の指示がなされなければ、ステップＳａ１５、Ｓａ１６が所定期間毎に繰り返し実行される。
【００２８】
本実施形態において、ステップＳａ１５で取得される聴取地点の位置情報は、前回に取得された聴取地点の位置情報と異なっている場合もあれば、同じ場合もある。
異なっている場合、それは、リスナーＬが前回の測位時（ステップＳａ１５の実行時）から今回の測位時かけて移動したことを示している。この場合、位置情報記憶部４２に記憶された位置情報のうち、聴取地点の位置情報は、今回、測位し直された位置情報に更新され、次のステップＳａ１６では、更新された位置情報に基づき音場が決定・設定される。このため、例えば図４において、端末装置１０を携行するリスナーＬが前回測位した地点ｊから今回測位した地点ｊａに移動したとき、図６に示されるように、再生信号に付与される音場が、移動後の地点ｊａにおける聴取地点に応じて変更される。
【００２９】
本実施形態において、ステップＳａ１５、Ｓａ１６は、電源オフ等の指示がなされなければ、所定期間毎に繰り返し実行されるので、リスナーＬが端末装置１０を携行して移動すると、移動後の聴取地点が測位されて、当該位置情報に応じた音場に変更されることになる。このとき、リスナーＬは、音場の変更に際して音場制御装置４０ａに対し何ら操作を加えないし、また、聴取地点にマイクをセットしてテスト音等をスピーカから発生させる必要もない。このため、本実施形態によれば、音楽の再生や映画の視聴に際して聴取地点が変更されたとき、再生や視聴を中断することなく、変更後の聴取地点に応じた音場に再設定することができる。
【００３０】
なお、ステップＳａ１５で取得された位置情報が前回に取得された位置情報と同じ場合、リスナーＬが移動しない状態を示している。この場合、位置情報記憶部４２に記憶された位置情報が変更されないので、次のステップＳａ１６においても音場についても変更されないことになる。
【００３１】
第１実施形態において、リスニングルーム６０の形状については取得しないでも良い場合がある。例えば音場の設定にあたって壁面による反射や残響を考慮せずに、スピーカからリスナーＬへの直接音の位相差や音量を調整するのであれば、必ずしもリスニングルーム６０の形状を特定するための位置情報を取得しないでも良い。
【００３２】
次に、本発明の第２実施形態について説明する。
第１実施形態では、聴取地点を囲むように５台のスピーカ５１〜５５を配置させたシステムによって音場を付与したが、第２実施形態では、スピーカアレイを用いた音場制御装置によって音場を付与する。
図７は、スピーカアレイを用いた音場制御装置４０ｂの構成を示す図であり、図８は、当該音場制御装置４０ｂを含むシステムの構成を示すブロック図である。
図８に示されるように、音場制御装置４０ｂでは、筐体内に上述した通信部４１、位置情報記憶部４２、音場設定部４３、音場付与部４４、増幅部４５および複数のスピーカ４６を有する。このうち、スピーカ４６は、例えば図７に示されるように筐体においてライン状に配置する。なお、図７では、スピーカ４６がライン状に配列した例を示したが、複数ラインで面状に配列した例でも良い。
【００３３】
音場制御装置４０ｂでは、複数のスピーカ４６から同じオーディオ信号に係る音が、空間上の焦点に同時に到達するように、少しずつ異なる遅延時間を与えられて出力される。具体的には、音場付与部４４が、例えばＦＬ、Ｃ、ＦＲ、ＳＬ、ＳＲチャンネルのオーディオ信号の各々に対し、上記のような遅延処理を施した上で、各チャンネルにおいて遅延処理した信号を加算して出力する。これにより、焦点周辺の音響エネルギーは同相加算により強められるので、焦点方向に強い指向性を有する音のビームがチャンネル毎に作り出される。
【００３４】
図９は、音場制御装置４０ｂの設置状況を示す平面図である。この図に示されるように、音場制御装置４０ｂは、モニタ３０の表示面とほぼ平行方向に、スピーカ４６の配列面がリスナーＬに対向するように配置され、各チャンネルに係る音のビームをリスニングルーム６０の壁面に反射させてリスナーＬに到達させる。このため、リスナーＬからみれば、音像が壁面方向で定位しているかのように知覚される。詳細には同図に示されるように、壁面における反射点４６１、４６３、４６４、４６５から、あたかもＦＬ、ＦＲ、ＳＬ、ＳＲチャンネルの再生音が発生しているかのように知覚されるので、良好なサラウンド効果を得ることができる。なお、Ｃチャンネルの再生音は音場制御装置４０ｂのほぼ中心で定位する。
【００３５】
このような音場制御装置４０ｂでは、第１実施形態と比較して、スピーカ５１〜５５を配置させないで済む一方で、リスニングルーム６０の壁面での反射音を積極的に用いるので、リスニングルーム６０に対する音場制御装置４０ｂと聴取地点との位置関係が重要となる。
このため、第２実施形態では、端末装置１０による測定位置の対象を図１０に示されるように、聴取地点ｊとリスニングルーム６０の形状を特定するための地点ｆ、ｇ、ｈ、ｉとに加えて、音場制御装置４０ｂにおける左端の地点Ａと右端の地点Ｂとする。
第２実施形態では、地点Ａ、Ｂを結ぶ直線を、スピーカ４６の配列面とし、当該直線の中点をＣチャンネルの放出点としている。
【００３６】
第２実施形態では、図３のフロチャートにおけるスピーカの位置情報を音場制御装置４０ｂの位置情報と読み替える。すなわち、音場設定部４３は、位置情報で推定されたリスニングルーム６０の形状において、位置情報で規定される向き、および、位置で音場制御装置４０ａが配置された場合に、位置情報で規定された聴取地点に各チャンネルの音のビームが向かうように、音場の処理内容を決定し、音場付与部４４に設定する。
【００３７】
第２実施形態では、スピーカの位置情報とルーム位置情報により、音場制御装置４０ｂの位置とリスニングルーム６０の壁の位置や対面角度が判るため、ビームをどの方向にすればリスナーに到達する壁反射が得られるかを予め計算することができる。
図９も示した例は、リスニングルーム６０の形状と音場制御装置４０ｂの配置が理想的な場合であるが、各チャンネルの音のビームの方向はリスナーＬに到達する壁反射となる放射方向を幾何学的に計算すればよい。
しかし、スピーカアレイとマイクロホンを用いた従来のビーム自動調整（例えば特開２００６−０１３７１１号公報参照）に示されるように、壁反射による各チャンネル音のビーム形成が困難な場合がある。例えば、図１２に示されるように、部屋の角に音場制御装置が設置されているため、ＦＬ、ＦＲチャンネルの壁反射が得られないケースや、図１３に示されるように、リスナーＬから左右の壁の距離が非対称で音声のバランスが崩れるケースがある。図１２に示されるケースであれば、ＦＬ、ＦＲチャンネルについては壁反射とせずにリスナーＬに直接放射する方向とし、ＳＬ、ＳＲチャンネルについてはリスナーＬに到来する反射方向を計算すれば良い。図１３に示される例であれば、バランスの崩れるチャンネルは、他のチャンネルのビームに成分を分けてファントム（仮想）音源を形成するようなビーム方向を計算すれば良い。
【００３８】
リスナーＬが携行する端末装置１０によって、現在地点が、聴取地点として測定されて、音場制御装置４０ｂに送信される点は、第１実施形態と同様である。このため、第２実施形態においても、端末装置１０を携行するリスナーＬの聴取地点に応じた音場が適切に設定される。
ところで、通信部４１と音場付与部４４を直結した相互の矢印も設けてあるが、これは端末装置１０側で位置情報による音場設定を行い、通信部４１を介して音場付与部４４に音場パラメーターの指示を行うケースを想定している。
【００３９】
なお、第２実施形態において地点Ａ、Ｂについては、音場制御装置４０ｂの向き、リスニングルーム６０に対する位置を把握するために測定している。このため、これらの向き、位置を把握することができるのであれば、これ以外の２地点を測定しても良いし、音場制御装置４０ｂの向きを以下に示すような方法で確定できれば、中心部１地点のみの測定でも良い。すなわち、向きの確定方法には、（ａ）端末装置１０の方位情報を利用する、（ｂ）音場制御装置４０ｂが必ず聴取者の正面に向けて設置されることを前提とする、（ｃ）スピーカアレイとマイクロホンを用いた、上記従来のビーム自動調整の情報を利用、などの手法をとることが可能である。
【００４０】
本発明は、上述した第１実施形態や第２実施形態に限定されるものではなく、例えば次に述べるような各種の応用・変形が可能である。また、次に述べる応用・変形の態様は、任意に選択された一または複数を適宜に組み合わせることもできる。
【００４１】
上述した第１および第２実施形態では、リスニングルーム６０の高さ（室内高）については言及しなかったが、例えば端末装置１０で床面および天井の高度を測定して、あるいは、数値入力することによって室内高の情報を取得するとともに、床面、天井で反射して聴取地点に到達する経路も加味して音場を決定しても良い。また、同様に、スピーカ５１〜５５の設置地点ａ〜ｅ（音場制御装置４０ａの向き、位置）の高さ、聴取地点ｊの高さについても測定して、音場を決定する際に考慮しても良い。
【００４２】
実施形態において、端末装置１０が携帯電話機であれば、リスナーの胸ポケットなどに収納することによって、端末装置１０の位置イコール聴取地点と考えることができる。
ただし、端末装置１０がタブレット型などのように比較的大きい場合、例えば図１１に示されるように、リスナーＬが端末装置１０を手の平で操作する場合、端末装置１０で測定された位置情報をモニタ３０（スピーカ５２、または、音場制御装置４０ｂ）とは反対側に距離Ｐだけ離れた地点にオフセットして、当該オフセットした地点を聴取地点とみなしても良い。
【００４３】
実施形態では、ステップＳａ１５、Ｓａ１６が、電源オフ等の指示がなされなければ、所定期間毎に繰り返し実行される構成としたが、リスナーが聴取位置の移動を端末装置１０にタッチ操作等により入力して、当該入力があったときに、当該端末装置１０が測位するようにしても良い。このようにすれば、測位機能の実行による端末装置１０の電力消費を抑えることができる。
【００４４】
付与する音場の処理内容を音場制御装置４０ａではなく、端末装置１０が決定して、決定した処理内容を音場制御装置４０ａに送信する一方、受信した処理内容を音場付与部４４に設定する構成としても良い。
また、端末装置１０の位置情報だけで音場を決定したが、聴取地点にマクロフォンを設置するとともに、各スピーカからテスト音を発生させて、マイクフォンに受信されるまでの時間や応答特性などの測定結果と、端末装置１０で測定した位置情報と、を併用することによって付与すべき音場を決定しても良い。
【符号の説明】
【００４５】
１０…端末装置、２０…再生部、３０…モニタ、４０ａ、４０ｂ…音場制御装置、４２…位置情報記憶部、４３…音場設定部、４４…音場付与部、４６…スピーカ、５１〜５５…スピーカ、６０…リスニングルーム。
【図１】
0005915170.tif 000002
【図２】
0005915170.tif 000003
【図３】
0005915170.tif 000004
【図４】
0005915170.tif 000005
【図５】
0005915170.tif 000006
【図６】
0005915170.tif 000007
【図７】
0005915170.tif 000008
【図８】
0005915170.tif 000009
【図９】
0005915170.tif 000010
【図１０】
0005915170.tif 000011
【図１１】
0005915170.tif 000012
【図１２】
0005915170.tif 000013
【図１３】
0005915170.tif 000014